【手続補正書】
【提出日】平成30年1月22日(2018.1.22)
【手続補正１】
【補正対象書類名】明細書
【補正対象項目名】０１００
【補正方法】変更
【補正の内容】
【０１００】
【化３】
2017512852.tif 000001
のものであり、式中、
Ｒは、水素又は（Ｃ１〜Ｃ４）アルキル基であり、
Ｘは、−ＣＨ２−、−Ｃ（Ｏ）Ｏ−、−Ｏ−Ｃ（Ｏ）−、−Ｃ（Ｏ）−ＮＨ−、−ＨＮ−Ｃ（Ｏ）−、−Ｏ−、−ＮＨ−、Ｏ−Ｃ（Ｏ）−ＮＨ−、−ＨＮ−Ｃ（Ｏ）−Ｏ、−ＨＮ−Ｃ（Ｏ）−ＮＨ−、又は−Ｓｉ（ＣＨ３）２−であり、
ｎは、３０℃以上の少なくとも１つの異なる結晶融点を付与するのに十分な数である、実施形態１〜１６のいずれか一態様に記載の形状適合性コーティング組成物。
１８．ｎが少なくとも１８である、実施形態１７に記載の形状適合性コーティング組成物。
１９．次式：
の結晶質コポリマーを含み、結晶質コポリマーは、一般式：
〜［Ｍｘｓｔａｌ］ｖ−［Ｍｓｉｌａｎｅ］ｗ−［Ｍａｃｉｄ］ｘ−［ＭｈｉｇｈＴｇ］ｙ〜、により表すことができ、式中、
ｖは、３０℃以上のＴｍを有する１０〜９０重量部の結晶質モノマーであり；
ｗは、０〜６０重量部のシラン官能性モノマーであり；
ｘは、０〜１０重量部の酸官能性モノマーであり、
ｙは、２０℃以上のＴｇを有する０〜５０重量部の高Ｔｇモノマーである、実施形態１〜１８のいずれか一態様に記載の形状適合性コーティング組成物。
２０．実施形態１〜１９に記載の乾燥コーティング組成物を含む、形状適合性フィルム。
２１．フィルムが、１００％の伸張で７５％未満が破断する、実施形態２０に記載の形状適合性フィルム。
２２．基材上に、実施形態１９〜２１のいずれかに記載の形状適合性フィルムの層を含む、多層物品。本発明の実施態様の一部を以下の項目［１］−［２２］に記載する。
［項目１］
形状適合性コーティング組成物であって：
ａ）３０℃以上のＴｍを有し、結晶化可能な側基を有するモノマーの共重合モノマー単位を少なくとも５重量％含む、アクリレートコポリマー：
ｂ）任意選択的にシアノアクリレートモノマー；
ｃ）任意選択的にシアノアクリレート安定剤；及び
ｄ）４．９〜１２．５（ｃａｌ／ｃｍ３）１／２の溶解度パラメーターを有する揮発性溶剤、を含む、形状適合性コーティング組成物。
［項目２］
前記コポリマーが、総モノマー１００重量部を基準として：
１）３０℃以上のＴｍを有する１０〜９０重量部の結晶質モノマー；
２）２０℃以上のＴｇを有する０〜５０重量部の高Ｔｇモノマー；
３）０〜６０重量部のシラン官能性モノマー；
４）０〜１０重量部の酸官能性モノマー、
を含む、項目１に記載の形状適合性コーティング組成物。
［項目３］
前記コポリマーが、０．５〜５重量部の酸官能性モノマーを更に含む、項目２に記載の形状適合性コーティング組成物。
［項目４］
１〜５０重量部のシラン官能性モノマーを含む、項目２に記載の形状適合性コーティング組成物。
［項目５］
前記シラン官能性モノマーが、次式：
Ａ−Ｒ８−［Ｓｉ−（Ｒ９）３］ｑのものであり、式中：
Ａは、ビニル、アリル、ビニルオキシ、アリルオキシ、及び（メタ）アクリロイルを含むエチレン性不飽和重合性基であり；
Ｒ８は、共有結合、又は二価（ヘテロ）ヒドロカルビル基であり、ｑは少なくとも１であり；
Ｒ９は、一価アルキル、アリール、又はトリアルキルシリルオキシ基である、項目４に記載の形状適合性コーティング組成物。
［項目６］
前記シラン官能性モノマーがシランマクロマーである、項目４に記載の形状適合性コーティング組成物。
［項目７］
コポリマーに０℃以上のＴｇを有させるのに十分な量で、高Ｔｇモノマーを含む、項目２に記載の形状適合性コーティング組成物。
［項目８］
５〜５０重量部の高Ｔｇモノマーを含む、項目７に記載の形状適合性コーティング組成物。
［項目９］
前記結晶質コポリマーの重量に対し、重量比で、２：１〜１：２のシアノアクリレートモノマーを含む、項目１に記載の形状適合性コーティング組成物。
［項目１０］
シアノアクリレート安定剤を更に含む、項目９に記載の形状適合性コーティング組成物。
［項目１１］
ａ）、ｂ）及びｃ）に対し少なくとも４０重量％の溶剤を含む、項目１に記載の形状適合性コーティング組成物。
［項目１２］
前記溶剤がシロキサン溶剤である、項目１に記載の形状適合性コーティング組成物。
［項目１３］
前記コポリマーが０℃超のＴｇを有する、項目１に記載の形状適合性コーティング組成物。
［項目１４］
前記コポリマーが、ＤＳＣにより測定したときに２０℃以上の範囲の結晶融点を有する、項目１に記載の形状適合性コーティング組成物。
［項目１５］
前記コポリマーが、１００，０００〜５，０００，０００の分子量（Ｍｗ）を有する、項目１に記載の形状適合性コーティング組成物。
［項目１６］
３０℃超のＴｍを有する前記結晶化可能なモノマーが：
ａ）線状、第一級アルカノールの（メタ）アクリレートエステルモノマー；
ｂ）少なくとも２４個の炭素原子を有する、第二級アルコール又は一分岐第一級アルカノール；
ｃ）少なくとも２４個の炭素原子を有する、線状アルケニルエステル；
ｄ）少なくとも２４個の炭素原子を有する線状アルキルを有するアラルキル又はアラルケニルエステル；又は
ｅ）少なくとも１６個の炭素原子を有する、アルキル側基を有する、（メタ）アクリレートエステルモノマーの結晶質マクロマー、から選択される、項目１に記載の形状適合性コーティング組成物。
［項目１７］
前記結晶化可能なモノマーが、次式：
【化４】
2017512852.tif 000002
のものであり、式中、
Ｒは、水素又は（Ｃ１〜Ｃ４）アルキル基であり、
Ｘは、−ＣＨ２−、−Ｃ（Ｏ）Ｏ−、−Ｏ−Ｃ（Ｏ）−、−Ｃ（Ｏ）−ＮＨ−、−ＨＮ−Ｃ（Ｏ）−、−Ｏ−、−ＮＨ−、Ｏ−Ｃ（Ｏ）−ＮＨ−、−ＨＮ−Ｃ（Ｏ）−Ｏ、−ＨＮ−Ｃ（Ｏ）−ＮＨ−、又は−Ｓｉ（ＣＨ３）２−であり、
ｎは、３０℃以上の少なくとも１つの異なる結晶融点を付与するのに十分な数である、項目１に記載の形状適合性コーティング組成物。
［項目１８］
ｎが少なくとも１８である、項目１７に記載の形状適合性コーティング組成物。
［項目１９］
次式：
の結晶質コポリマーを含み、結晶質コポリマーは、一般式：
〜［Ｍｘｓｔａｌ］ｖ−［Ｍｓｉｌａｎｅ］ｗ−［Ｍａｃｉｄ］ｘ−［ＭｈｉｇｈＴｇ］ｙ〜、により表すことができ、式中、
ｖは、３０℃以上のＴｍを有する１０〜９０重量部の結晶質モノマーであり；
ｗは、０〜６０重量部のシラン官能性モノマーであり；
ｘは、０〜１０重量部の酸官能性モノマーであり、
ｙは、２０℃以上のＴｇを有する０〜５０重量部の高Ｔｇモノマーである、項目１に記載の形状適合性コーティング組成物。
［項目２０］
項目１〜１９に記載の前記乾燥コーティング組成物を含む、形状適合性フィルム。
［項目２１］
前記フィルムが、１００％の伸張で７５％未満が破断する、項目２０に記載の形状適合性フィルム。
［項目２２］
基材上に、項目１９〜２１のいずれかに記載の前記形状適合性フィルムの層を含む、多層物品。
【手続補正２】
【補正対象書類名】特許請求の範囲
【補正対象項目名】全文
【補正方法】変更
【補正の内容】
【特許請求の範囲】
【請求項１】
形状適合性コーティング組成物であって：
ａ）３０℃以上のＴｍを有し、結晶化可能な側基を有するモノマーの共重合結晶質モノマー単位を少なくとも５重量％含む、アクリレートコポリマー：
ｂ）任意選択的にシアノアクリレートモノマー；
ｃ）任意選択的にシアノアクリレート安定剤；及び
ｄ）４．９〜１２．５（ｃａｌ／ｃｍ３）１／２の溶解度パラメーターを有する揮発性溶剤、を含み、
前記コポリマーが、総モノマー１００重量部を基準として：
１）３０℃以上のＴｍを有し、
ａ）線状で、少なくとも２０個の炭素原子を有する第一級アルカノールの（メタ）アクリレートエステルモノマー；
ｂ）少なくとも２４個の炭素原子を有する、第二級アルコール又は一分岐第一級アルカノールの（メタ）アクリレートエステルモノマー；
ｃ）少なくとも２４個の炭素原子を有する、線状アルケニルエステル；
ｄ）少なくとも２４個の炭素原子を有する線状アルキルを有するアラルキル又はアラルケニルエステル；又は
ｅ）少なくとも１６個の炭素原子を有する、アルキル側基を有する、（メタ）アクリレートエステルモノマーの結晶質マクロマー、から選択される、１０〜９０重量部の結晶質モノマー；
２）２０℃以上のＴｇを有する０〜５０重量部の高Ｔｇモノマー；
３）０〜６０重量部のシラン官能性モノマー；
４）０〜１０重量部の酸官能性モノマー、
を含む、形状適合性コーティング組成物。
【請求項２】
前記コポリマーが、０．５〜５重量部の酸官能性モノマーを更に含む、請求項１に記載の形状適合性コーティング組成物。
【請求項３】
１〜５０重量部のシラン官能性モノマーを含む、請求項１に記載の形状適合性コーティング組成物。
【請求項４】
前記シラン官能性モノマーがシランマクロマーである、請求項３に記載の形状適合性コーティング組成物。
【請求項５】
５〜５０重量部の高Ｔｇモノマーを含む、請求項１に記載の形状適合性コーティング組成物。
【請求項６】
前記結晶質コポリマーの重量に対し、重量比で、２：１〜１：２のシアノアクリレートモノマーを含む、請求項１に記載の形状適合性コーティング組成物。
【請求項７】
ａ）、ｂ）及びｃ）に対し少なくとも４０重量％の溶剤を含む、請求項１に記載の形状適合性コーティング組成物。
【請求項８】
３０℃超のＴｍを有する前記結晶質モノマーが：
ａ）線状で、少なくとも２０個の炭素原子を有する第一級アルカノールの（メタ）アクリレートエステルモノマー；
ｂ）少なくとも２４個の炭素原子を有する、第二級アルコール又は一分岐第一級アルカノールの（メタ）アクリレートエステルモノマー；
ｃ）少なくとも２４個の炭素原子を有する、線状アルケニルエステル；
ｄ）少なくとも２４個の炭素原子を有する線状アルキルを有するアラルキル又はアラルケニルエステル；又は
ｅ）少なくとも１６個の炭素原子を有する、アルキル側基を有する、（メタ）アクリレートエステルモノマーの結晶質マクロマー、から選択される、請求項１に記載の形状適合性コーティング組成物。
【請求項９】
次式：
の結晶質コポリマーを含み、結晶質コポリマーは、一般式：
〜［Ｍｘｓｔａｌ］ｖ−［Ｍｓｉｌａｎｅ］ｗ−［Ｍａｃｉｄ］ｘ−［ＭｈｉｇｈＴｇ］ｙ〜、により表すことができ、式中、
ｖは、３０℃以上のＴｍを有する１０〜９０重量部の結晶質モノマーであり；
ｗは、０〜６０重量部のシラン官能性モノマーであり；
ｘは、０〜１０重量部の酸官能性モノマーであり、
ｙは、２０℃以上のＴｇを有する０〜５０重量部の高Ｔｇモノマーである、請求項１に記載の形状適合性コーティング組成物。
【請求項１０】
請求項１〜９に記載の前記乾燥コーティング組成物を含む、形状適合性フィルム。
【請求項１１】
基材上に、請求項１０に記載の前記形状適合性フィルムの層を含む、多層物品。